(57)【特許請求の範囲】
【請求項１】
メッセージのための連絡画面を重畳して表示面に表示するもので、優先順位の高い連絡画面から順に最上面から表示する表示手段と、オペレータの操作により連絡画面の表示を最上面から個々に解除する表示解除手段とを備えたモニターにおいて、新規の連絡画面が現在表示されている連絡画面よりも優先順位が高い場合に新規の連絡画面の表示開始から所定時間だけ、オペレータによる表示解除手段の操作を無効とする解除防止手段を備えたことを特徴とするモニター。
【請求項２】
各連絡画面に対応するタブを付し、各タブを互いにずらして表示するタブ表示手段を備えたことを特徴とする請求項１に記載のモニター。
【請求項３】
表示される連絡画面が１つであるときには、解除防止手段の動作を無効とする解除防止無効手段を備えたことを特徴とする請求項１または２に記載のモニター。
【請求項４】
連絡画面の表示と同期して、連絡音を発する警報音発生手段を備えたことを特徴とする請求項１〜３のいずれかに記載のモニター。
【請求項５】
請求項１〜４のいずれかに記載のモニターを備えた写真処理装置。
【請求項６】
装置本体の各部にセンサが配設され、モニターは上記センサからの入力に基づいて連絡画面を表示することを特徴とする請求項５に記載の写真処理装置。
【発明の詳細な説明】
【０００１】
【発明の属する技術分野】
本発明は、写真処理装置に係り、特に写真処理装置におけるモニタに関するものである。
【０００２】
【従来の技術】
従来、写真処理装置においては、装置の動作状態に合わせて画面にその動作状態を表示させていた。例えば、温度異常といったエラーが発生した場合には、その装置を自動停止するとともに、装置側からエラー発生をオペレータに通知するための画面がモニター上に表示される。その場合、オペレータがそのエラー発生を確認し、適切な処置をとったことを装置に知らせるために、「エラー発生解除」というボタンを押すこととしている。
【０００３】
また、エラーにまで至らない事態、例えばペーパー切れ等となった場合は、その事態を装置側からオペレータに通知するためのお知らせ画面も上記エラー発生画面と同様に表示される。この場合にも、オペレータがそのお知らせ画面を確認し、適切な処置をとったことを装置に知らせるために、「エラー発生解除」ボタンを押すこととしている。
【０００４】
【発明が解決しようとする課題】
しかし、「エラー発生解除」ボタンを押そうとした瞬間に他のエラーが発生した場合、後に発生したエラーを確認できないままに「エラー発生解除」ボタンを誤って押してしまうことがあった。その場合、後に発生したエラーが直ぐに操作を要するものであることがあり、当該エラーに対する適切な処置をしないまま、装置を再起動させて装置にダメージを与えることがある。これでは、せっかくエラー発生が連絡されたにもかかわらず、装置の安全が確保されなかったことになる。
【０００５】
また、お知らせ画面がモニター上に表示された場合は、必ずしも直ちに処置を要するものではない。しかし、この場合にも「エラー発生解除」ボタンを誤操作し、例えば定期点検を促す場合等にも必要な処置をとらないまま装置を動作させ続けると、重大な事態になりかねない。
【０００６】
本発明は、上記事情に鑑みてなされたものであり、エラー解除等の誤操作を確実に防止できるモニター及び写真処理装置を提供することを目的としている。
【０００７】
【課題を解決するための手段】
上記目的を達成するため、本発明の請求項１は、メッセージのための連絡画面を重畳して表示面に表示するもので、優先順位の高い連絡画面から順に最上面から表示する表示手段と、オペレータの操作により連絡画面の表示を最上面から個々に解除する表示解除手段とを備えたモニターにおいて、新規の連絡画面が現在表示されている連絡画面よりも優先順位が高い場合に新規の連絡画面の表示開始から所定時間だけ、オペレータによる表示解除手段の操作を無効とする解除防止手段を備えたことを特徴とするモニターとして構成されている。
【０００８】
上記構成によれば、優先順位の高い連絡画面から順に最上面から表示されると共に、新規の連絡画面が現在表示されている連絡画面よりも優先順位が高い場合に新規の連絡画面の表示開始から所定時間だけ、オペレータによる表示解除手段の操作が解除防止手段により無効とされるので、表示解除手段を操作しようとした瞬間に優先順位の高い他の連絡画面が最上面に割り込み表示された場合でも、その連絡画面を確認できないままに表示解除手段を誤操作してしまうおそれがなくなる。
【０００９】
さらに、請求項２のように、各連絡画面に対応するタブを付し、各タブを互いにずらして表示するタブ表示手段を備えれば、各連絡画面の存在が容易にわかるようになる。
【００１０】
さらに、請求項３のように、表示される連絡画面が１つであるときには、解除防止手段の動作を無効とする解除防止無効手段を備えれば、連絡画面に対する措置が迅速なものとなる。
【００１１】
さらに、請求項４のように、連絡画面の表示と同期して、連絡音を発する警報音発生手段を備えれば、連絡画面があったことが容易に分かるようになる。
【００１２】
さらに、請求項５のように、請求項１〜４のいずれかに記載のモニターを備えれば、写真処理装置において上記のような作用が得られる。
【００１３】
さらに、請求項６のように、装置本体の各部にセンサが配設され、モニターは上記センサからの入力に基づいて連絡画面を表示することとすれば、モニター上に適切な連絡画面が表示されるので、写真処理装置において、連絡画面に応じた適切な措置がとられるようになる。
【００１４】
【発明の実施の形態】
（実施形態１）
図１は本発明に係るモニターを備えた写真処理装置の全体構成を示す図である。本実施形態１の写真処理装置では、撮影済みフィルム等を撮像し画像データとして取り込むスキャナー１１と、取り込んだ画像データに対し、マウス１５やキーボード１６等からの指示に従って、各種処理を行うパーソナルコンピュータ１２と、処理中の各種情報を画面上に表示するモニター１３と、処理結果に基づいてプリント出力を行うプリンター１４とからなる。
【００１５】
スキャナー１１は、フィルム１００の上面から光源１０１により光を照射して、フィルム１００の下面でその透過光を撮像部１０２により撮像することにより、フィルム１００から上記画像データを取り込むが、ここではエラー発生等を検出するための温度センサ１０３等が例えば光源１０１の近傍に取り付けられている。
【００１６】
プリンター１４は、ペーパー１４１を搬送ローラ１４２で搬送し、露光部１４３で焼き付け処理を行い，現像部１４４で現像処理を行い、乾燥部１４５で乾燥処理を行った後に、外部に写真として排出するが、ここではペーパー切れを検出するためのペーパーセンサ１４６、ドア開放を検出するためのリミットスイッチ１４７、現像処理槽内の処理液の温度やレベルを検出するための温度センサ１４８やレベルセンサ１４９がそれぞれ適所に取り付けられている。
【００１７】
図２は本実施形態１の制御系を示すブロック図であり、パーソナルコンピュータ１２は、例えばエラー発生やお知らせがあるときなどに、上記各センサ１０３、１４６〜１４９等からの検出信号に基づいてこのエラー発生等の有無を判断する判断手段１２ｄと、判断手段１２ｄによりエラー発生等があると判断されたときに、オペレータに対してエラー原因の除去等を促す連絡画面をモニター１３のウインドウ上にダイアログ形式で表示する表示手段１と、連絡画面の表示を解除する表示解除手段２と、表示手段１による連絡画面の表示開始から約１秒間（所定時間）だけ、例えばタイマーにより表示解除手段の操作を無効とする解除防止手段３と、表示される連絡画面が複数あるときには、各連絡画面に対応するタブを付し、各タブを互いにずらして表示するタブ表示手段４と、表示手段１が連絡画面を表示したときに、これと同期して警報音を発する警報音発生手段５と、警報音を停止させる警報音停止手段６とを備えるとともに、制御プログラム内蔵のＲＯＭ１２ａと、各種データを一時的に保存するＲＡＭ１２ｂとを備え、ＣＰＵ１２ｃの制御下で、上記各手段１２ｄ及び１〜６を動作させるようになっている。
【００１８】
なお、所定時間は、解除防止手段３のタイマーの設定値を変更することにより任意に設定できるものであるが、オペレータが表示解除手段２の操作を間違いなく行うために十分な時間とするのが好ましい。また、タブ表示手段４によって表示されるタブは、エラーやお知らせの内容に応じてそれを番号で表したものが予め用意されており、タブ表示手段４は、判断手段１２ｄによる判断結果に基づいてタブを選択し上記のように画面上に表示する。
【００１９】
エラー発生の場合は、このエラー発生と同時にフェイルロックが働いて装置が自動停止し、装置の再起動のためには必ずエラー原因等を除去する適切な処置をとる必要がある。スキャナー１１の光源１０１において「温度異常」というエラーが発生した場合に、何ら処置を行うことなくそのまま再起動したのでは、装置やフイルム等に重大なダメージを与えるおそれがある。
【００２０】
一方、お知らせの場合は、直ちに処置を要するものではない。例えば定期点検時期であるというお知らせの場合には、装置をそのまま動作させ続けても、直ちに装置等に重大なダメージを与えることはない。しかし、定期点検を行わずに装置の動作を続けると、やがて装置にダメージを与える事態となりかねない。したがって、この場合にも、表示解除手段２の誤操作を避けることが必要である。
【００２１】
そこで、本発明では、エラー発生時のみならず、お知らせがある時にも解除防止手段３により、表示解除手段２の操作を規制することとした。
【００２２】
図３はモニター画面の一例を示すものであるが、装置の動作中にエラー発生又はお知らせがあると、表示手段１によりウインドウ２０の最上段の左端に、エラー発生であるか、あるいは、お知らせであるかによって以下のようなタイトル２１が表示される。
（１）エラーだけが発生しているときは、「エラー」と表示される。
（２）お知らせだけが発生しているときは、「お知らせ」と表示される。
（３）エラー・お知らせが発生しているときは、「エラー・お知らせ」と表示される（図ではこのケースを表示している）。
【００２３】
さらに、表示手段１によりウインドウ２０には連絡画面であるダイアログ２２が表示される。ダイアログ２２の左上端にはタブ表示手段４によりタブ２３が表示される。タブ２３にはエラー又はお知らせの内容に対応する番号が付されており、複数のエラー発生やお知らせがある場合には、複数のタブ２３が互いに重ならないようにずらせて表示されるようになっている。タブ２３に表示される番号は、エラーの場合は赤色（図中では黒）で例えば「８０００」や「６０００」と表示され、お知らせの場合は黄色（図中では白抜き）で例えば「１０００」と表示される。したがって、この表示されたタブ２３によりオペレータはエラー発生又はお知らせがあることを容易に知ることができる。
【００２４】
ダイアログ２２の上段部分２２１には、例えば「プリンタードア１が開きました」といった、メッセージが表示される。また、中段部分２２２には、例えば「ペーパーが残っていないか確認し、ドアを閉めてください」といった、対処方法が表示される。さらに、下段部分２２３には、プリンターの図形Ａが表示され、エラー発生場所等は、例えばその図形Ａ中に示された楕円Ｂで囲んで表示される。この下段部分２２３の右下側には、ＹＥＳ：確認ボタン２４が表示されている。ＹＥＳ：確認ボタン２４は、表示解除手段２の制御下、ダイアログ２２の表示解除のためのボタンアクションを表示するものである。
【００２５】
図中、ＹＥＳ：確認ボタン２４を破線で表示しているのは、このボタンを押せない状態にあることを示している（他のボタンについても同様である）。なお、通常は図１のキーボード１６のＥＳキー１６１によっても、確認ができるが、このような状態にある限り、ＥＳキー１６１も使用できないようになっている。
【００２６】
ダイアログ２２の下方の左側には、Ｆ：保留ボタン２５が表示され、右側にはＮＯ：警報音停止ボタン２６とヘルプボタン２７とが並んで表示されている。エラー発生又はお知らせがあると、ダイアログ２２の表示とともに、警報音発生手段５により、例えば「ピッ」というような警報音がなる。この警報音によっても、オペレータは、エラー発生又はお知らせがあったことを知ることができる。なお、警報音は、エラー発生やお知らせの優先順位を示すエラーレベルに応じて適宜大きさやパターンを変えてもよい。一旦発生した警報音は、警報音停止手段６の制御下、ＮＯ：警報音停止ボタン２６の操作により停止させることができる。その他、ウインドウ２０の最上部の右端には、画面終了キーを示すｘボタン２８が表示されている。
【００２７】
ＹＥＳ：確認ボタン２４、Ｆ：保留ボタン２５、ＮＯ：警報音停止ボタン２６ヘルプボタン２７及びｘボタン２８はいずれもプログラムにより実行される仮想のボタンである。なお、これらのボタン２４〜２８やダイアログ２２に関するウインドウ２０中の配置等はプログラムの変更等により任意に設定できる。
【００２８】
図４は本実施形態１での動作を示すフローチャートである。以下、エラー発生の場合の動作について説明する。なお、お知らせの場合も、エラー発生の場合と同様の動作となるので、その説明は省略する。
【００２９】
まず装置の電源が投入されると、判断手段１２ｄにより、エラー発生の有無が繰り返し判断される（ステップＳ１）。そして、エラー発生があったと判断されると（ステップＳ１でＹＥＳ）、フェイルロックにより装置は自動停止し、表示手段１により、モニター１３のウインドウ２０上にエラー発生を知らせるダイアログ２２が表示される（ステップＳ２）。すると、解除防止手段３により、ＹＥＳ：確認ボタン２４を押せない状態にされる（ステップＳ３）。この時、ダイアログ２２上でボタンの色が薄くなる（図３中では破線でこの状態にあることを示している）。これにより、オペレータはそのボタンが押せない状態にあることが分かり、たとえ押したとしても装置は再起動しない。
【００３０】
ついで、解除防止手段３のタイマーがスタートする（ステップＳ４）。タイマーの初期カウント値は０に設定されており、約１秒間分に相当する設定値Ｔとなるまでそのカウントが続けられる（ステップＳ５）。そして、タイマーのカウント値が設定値Ｔに達すると（ステップＳ５でＹＥＳ）、タイマーは停止し（ステップＳ６）、表示解除手段２によりＹＥＳ：確認ボタン２４を押せる状態にされる（ステップＳ７）。すなわち、ダイアログ２２上でボタンの色が濃くなる。これにより、オペレータはそのボタンが押せる状態にあることが分かり、ボタンを押して装置を再起動させることができる。しかる後に作業は終了するが、この際、つぎの作業に向けて解除防止手段３のタイマーのカウント値が０にリセットされる。
【００３１】
以上のように、本実施形態１によれば、モニター１３のウインドウ２０上に、表示手段１によるダイアログ２２の表示から所定時間だけ、解除防止手段３により表示解除手段２の操作が無効とされるので、表示解除手段２を操作しようとした瞬間に他の操作を促すダイアログ２２が表示された場合でも、後に表示されたダイアログ２２をオペレータが確認できないままに表示解除手段２を誤操作してしまうおそれがなくなる。したがって、オペレータの操作を促すダイアログ２２が表示された場合には、必ず適切な処置が行われた後に、装置を再起動することとなるので装置の安全が確保される。
【００３２】
（実施形態２）
ところで、表示される連絡画面が複数ある場合、その優先順位に応じて特定画面を割り込ませて表示することが多い。本実施形態２はそのような場合に対処するものである。なお、本実施形態２において、上記実施形態１と共通する要素には同一番号を付し、その詳細の説明は省略することとした。また、本実施形態２に係るモニターを備えた写真処理装置の全体構成は上記図１に示す通りである。
【００３３】
図５は実施形態２の制御系を示すブロック図であり、パーソナルコンピュータ１２は、上記実施形態１と同様の判断手段１２ｄ、表示手段１、表示解除手段２、解除防止手段３、タブ表示手段４、警報音発生手段５、警報音停止手段６、ＲＯＭ１２ａ、ＲＡＭ１２ｂ及びＣＰＵ１２ｃを備えている。本実施形態２では、さらに、表示される連絡画面が複数あるときには、表示手段１は各連絡画面を優先順位の高い順に最上面からモニター１３で重畳させて表示するようになっており、表示される連絡画面が１つであるときには、解除防止手段３の操作を無効とする解除防止無効手段７を備え、ＣＰＵ１２ｃの制御下で、上記各手段１２ｄ及び１〜７を動作させるようになっている。
【００３４】
なお、上記優先順位は、例えばタブ表示手段４により表示されるタブ番号に対応付けられており、表示手段１はこのタブ番号を参照することにより、各連絡画面の優先順位を判断することができる（例えばタブ番号の大きいほど優先順位が高い等である）。そして、表示手段１は、この優先順位が高い画面が最上面となるようにソートを行う。また、表示手段１は、既にエラー発生等があって、現在そのエラー画面等を表示中であるか否かを判断するようにもなっている。既にエラー発生画面等を表示中であると判断されたときには、表示手段１は、新規なエラー等と先のエラー等との間で優先順位を比較するとともに、新規なエラー等の方が先のエラー等よりも優先順が高いと判断したときに解除防止手段３を動作させ、低いと判断したときには解除防止手段３を動作させないようになっている。また、表示手段１がエラー画面等を表示中でないと判断したときにも、解除防止手段３を動作させないようになっている。なお、現在のエラーは既に表示中であり、オペレータが既に認識していると考えられるので、単純に新規なエラーを現在のエラーに優先させて表示等することとしてもよい。
【００３５】
本実施形態２でのモニター画面例についても、上記図３に示した通りであり、表示手段１により、ウインドウ２０の最上段の左端には、エラー発生であるか、あるいは、お知らせであるかを示すタイトル２１が表示される。さらに、ウインドウ２２にはエラー画面等、連絡画面であるダイアログ２２が表示される。タブ表示手段４によりダイアログ２２の左上にはタブ２３が表示される。したがって、この表示されたタブ２３によりオペレータはエラー発生又はお知らせがあることを容易に知ることができる。
【００３６】
ダイアログ２２には、メッセージ、対処方法、さらに、プリンターの図形Ａが表示され、この右下側には、表示解除手段２と解除防止手段３との制御下にあるＹＥＳ：確認ボタン２４が表示されている。
【００３７】
ダイアログ２２の下方には、警報音発生手段５と警報音停止手段６との制御下にあるＮＯ：警報音停止ボタン２６等が表示されている。その他ダイアログ２２の最上部の右端には、画面終了キーを示すｘボタン２８が表示されている。
【００３８】
図６は本実施形態２での動作を示すフローチャートである。以下、エラー発生の場合の動作について説明する。なお、お知らせの場合も、このエラー発生の場合と同様の動作となるので、その説明は省略する。
【００３９】
まず装置の電源が投入されると、判断手段１２ｄによりエラー発生の有無が繰り返し判断される（ステップＳ１１）。そして、エラーが発生したと判断された場合（ステップＳ１１でＹＥＳ）、表示手段１により既にエラー表示中であるか否かが判断される（ステップＳ１２）。既にエラー表示中であると判断された場合には（ステップＳ１２でＹＥＳ）、表示手段１によりダイアログ２２は優先順位の高い順にソートされ、モニター１３上に優先順位の高い方が最上面にくるように表示される（ステップＳ１３）。そして、優先順位を基準にして新規に発生したエラーと、現在の表示されているエラーとが比較され、新規のものが現在のものよりも優先順位が高いと判断されると（ステップＳ１４でＹＥＳ）、次のステップＳ１６に進む。
【００４０】
そして、解除防止手段３によりＹＥＳ：確認ボタン２４を押せない状態にされると（ステップＳ１６）、ダイアログ２２上でＹＥＳ：確認ボタン２４の色が薄くなる。これにより、オペレータはそのボタンが押せない状態にあることが分かり、たとえ押したとしても装置は再起動しない。
【００４１】
ついで、解除防止手段３のタイマーがスタートする（ステップＳ１７）。タイマーの初期カウント値は０に設定されており、約１秒間分に相当する設定値Ｔとなるまでそのカウントが続けられる（ステップＳ１８）。そして、タイマーのカウント値が設定値Ｔに達すると（ステップＳ１８でＹＥＳ）、タイマーは停止し（ステップＳ１９）、表示解除手段２によりＹＥＳ：確認ボタン２４を押せる状態にされる（ステップＳ２０）。すなわち、ダイアログ２２上でボタンの色が濃くなる。これにより、オペレータはそのボタンが押せる状態にあることが分かり、ボタンを押して装置を再起動させることができるようになる。
【００４２】
上記ステップＳ１４で新規のエラーの優先順位が現在のエラーの優先順位よりも低いと判断されると（ステップＳ１４でＮＯ）、モニター１３上の最上面には優先順位の高い現在のエラーのダイアログ２２が既に表示されているので、ステップＳ１６〜Ｓ１９をスキップして、直ちに表示解除手段２によりＹＥＳ：確認ボタン２４を押せる状態にされる（ステップＳ２０）。
【００４３】
また、上記ステップＳ１２で、まだエラー表示をしていないと判断されると（ステップＳ１２でＮＯ）、これから表示されるダイアログ２２は１つだけであるので、解除防止手段３は動作させる必要がない。したがって、この場合には、解除防止無効手段７により解除防止手段３の動作がキャンセルされる。これにより、表示手段１によってダイアログ２２が直ちに表示され（ステップＳ１５）、ステップＳ１３〜Ｓ１９をスキップしてステップＳ２０に進む。そして、作業を終了するが、この際、つぎの作業に向けて解除防止手段３のタイマーのカウント値が０にリセットされる。
【００４４】
以上のように、本実施形態２によれば、上記実施形態１の作用効果に加えて、さらに、表示されるダイアログ２２が複数あるときには、表示手段１により優先順位の高いダイアログ２２が最上面に表示される。したがって、直ちに操作が必要なダイアログ２２が優先的に表示され、その表示されたダイアログ２２について解除防止手段３が動作させられるので、誤操作を確実に防止できる。また、表示されるダイアログ２２が１つであるときには、解除防止無効手段７により解除防止手段３の操作が無効とされるので、オペレータはその１つのダイアログ２２について直ちに表示解除手段２を操作して、エラー等に対する迅速な措置をとることができるようになる。
【００４５】
なお、上記実施形態１、２では、モニター１３を備えた写真処理装置について説明したが、本発明の適用範囲はこれに限られず、複写機や工作機械をはじめとする画面入力可能なあらゆる装置にも適用できる。
【００４６】
また、上記実施形態１、２では、タブ表示を番号であるとしているが、文字等で表示してもよい、また表示位置は、必ずしもウインドウ２０の上端に限られず、例えば左右や下端等、ダイアログ２２の表示を妨げず、かつ、各タブ２３が重ならないような任意の位置に表示できる。またダイアログ２２の表示も優先順位の高いものが複数存在する場合には画面分割することによってそのすべてを同時に表示することとしてもよい。
【００４７】
【発明の効果】
以上説明したように、本発明の請求項１は、メッセージのための連絡画面を重畳して表示面に表示するもので、優先順位の高い連絡画面から順に最上面から表示する表示手段と、オペレータの操作により連絡画面の表示を最上面から個々に解除する表示解除手段とを備えたモニターにおいて、新規の連絡画面が現在表示されている連絡画面よりも優先順位が高い場合に新規の連絡画面の表示開始から所定時間だけ、オペレータによる表示解除手段の操作を無効とする解除防止手段を備えたことを特徴とするモニターとして構成されているので、表示解除手段を操作しようとした瞬間に優先順位の高い他の連絡画面が最上面に割り込み表示された場合でも、その連絡画面を確認できないままに表示解除手段を誤操作してしまうおそれがなくなる。したがって、操作を促す画面が表示された場合には、必ず適切な処置が行われた後、装置を再起動させることとなるので装置の安全を確保できる。
【００４８】
さらに、請求項２のように、各連絡画面に対応するタブを付し、各タブを互いにずらして表示するタブ表示手段を備えているので、各連絡画面の存在を容易に知ることができる。
【００４９】
さらに、請求項３のように、表示される連絡画面が１つであるときには、解除防止手段の動作を無効とする解除防止無効手段を備えているので、連絡画面に対する措置を速やかにとることができる。
【００５０】
さらに、請求項４のように、連絡画面の表示と同期して、連絡音を発する警報音発生手段を備えているので、連絡画面があったことが容易に知ることができる。
【００５１】
さらに、請求項５のように、請求項１〜４のいずれかに記載のモニターを備えているので、写真処理装置において上記のような効果を得ることができる。
【００５２】
さらに、請求項６のように、装置本体の各部にセンサが配設され、モニターは上記センサからの入力に基づいて連絡画面を表示することとしているので、モニター上に適切な連絡画面が表示され、写真処理装置において、連絡画面に応じた適切な措置をとることができる。
【図面の簡単な説明】
【図１】  本発明に係るモニターを備えた写真処理装置の全体構成図である。
【図２】  本発明の実施形態１の制御系を示すブロック図である。
【図３】  上記実施形態１におけるモニター画面の一例を示す説明図である。
【図４】  上記実施形態１における装置の動作を示すフローチャートである。
【図５】  本発明の実施形態２の制御系を示すブロック図である。
【図６】  上記実施形態２における装置の動作を示すフローチャートである。
【符号の説明】
１  表示手段
２  表示解除手段
３  解除防止手段
４  タブ表示手段
５  警報音発生手段
６  警報音停止手段
７  解除防止無効手段
１２  パーソナルコンピュータ
１２ａ  ＲＯＭ
１２ｂ  ＲＡＭ
１２ｃ  ＣＰＵ
１３  モニター
１４  プリンター
１５  マウス
１６  キーボード
２０  ウインドウ
２２  ダイアログ（連絡画面）
２４  ＹＥＳ：確認ボタン
２５  ＮＯ：警報音停止ボタン
【図１】
0004161505.tif 000002
【図２】
0004161505.tif 000003
【図３】
0004161505.tif 000004
【図４】
0004161505.tif 000005
【図５】
0004161505.tif 000006
【図６】
0004161505.tif 000007